(57)【要約】【課題】伸性の如何に拘らず疵を生じさせることなくシートを係止することができると共に、伸性の大きいシートでは所謂多重張りを実施することができるシート止用条材を提供する。【解決手段】シート止用条材の正面と平行をなす面内で、一方の側壁部３と底壁部２との角部の中央Ｔ１と、他方の側壁部３の基部３１と中間部３２との境界Ｔ２とを通る第１線分Ｌ１を定め、この第１線分Ｌ１上の前記境界Ｔ２の位置で第１線分Ｌ１と直交する第２線分Ｌ２を定める。そして、他方の側壁部３の中間部３２は、前記第２線分Ｌ２より溝部４の内側へ傾斜させてある。【選択図】図２
2010131032.tif 000002
【特許請求の範囲】
【請求項１】
帯状の底壁部の両側にそれぞれ側壁部を立設してなる溝部を備え、両側壁部はそれぞれ、前記底壁部に連接し、溝部の外側へ凸状に曲成した角部を設けてなる基部と、前記溝部の開口に臨ませた縁部と、この縁部と基部との間に当該基部より立ち上げた姿勢で設けた中間部とを具備し、前記開口から溝部内にシートの一部を挿入させて当該シートを止めるシート止用条材において、
前記中間部は、当該中間部と基部との境界と、当該中間部に対向する基部の角部とを結ぶ線分に直交する姿勢より溝部の内側へ傾斜させた姿勢にしてあることを特徴とするシート止用条材。
【請求項２】
前記中間部と底壁部とのなす角は略６５°以上７４°以下の適宜角度にしてある請求項１記載のシート止用条材。
【請求項３】
前記縁部は、溝部の内側へ傾斜した姿勢であって、前記底壁部と平行をなす姿勢より立ち上げた姿勢にしてある請求項１又は２記載のシート止用条材。
【請求項４】
前記縁部と底壁部とのなす角は略１０°以上３０°以下の適宜角度にしてある請求項１から３のいずれかに記載のシート止用条材。
【発明の詳細な説明】
【技術分野】
【０００１】
本発明は、複数の骨材間に合成樹脂製のシートを展張してなる、所謂ビニルハウスにおいて、前記シートを止めるシート止用条材に関する。
【背景技術】
【０００２】
複数の骨材間に合成樹脂製のシートを展張してなる、所謂ビニルハウスにあっては、骨材間にシート止用条材を架設しておき、このシート止用条材にシートの一部を係止するようにしてある。
【０００３】
図５は、従来のシート止用条材にシートを係止した状態を示す斜視図であり、図中、４１はシート止用条材、Ｓは、農業用塩化ビニルといった伸性が比較的大きい合成樹脂製のシートである。図５に示した如く、シート止用条材４１は、平帯状の底壁部４２の両側縁から内側へ立ち上がるように側壁部４３，４３を延設して、端面視が縦断三角フラスコ底部形状に構成してある。この両側壁部４３，４３と底壁部４２とがなす角の角度はそれぞれ、４５°程度にしてある。また、両側壁部４３，４３の底壁部４２に連接する角部はそれぞれ、円弧状に成形してあり、両側壁部４３，４３の先端部はそれぞれ外側へ略環状に丸め加工してある。
【０００４】
そして、シート止用条材４１の底壁部４２及び両側壁部４３，４３で囲まれる溝部４４内にシートＳの一部を挿入させた後、その上から、面内交互台形波形状のスプリングＰを溝部４４の開口４５から内部へ嵌入させることによって、シートＳの一部をシート止用条材４１に係止させてある。
【０００５】
ところで、ビニルハウスにあっては、一つのシート止用条材に複数枚のシートを係止展張させる、所謂多重張りが実施される場合がある。かかる多重張りを実施する場合には、シート止用条材の溝部内に、その深さ方向へ複数本のスプリングを重積させるが、前述したシート止用条材４１では、両側壁部４３，４３間の寸法が底壁部４２から開口４５へ向かって漸次狭くなっているため、重積させるスプリングＰを溝部４４内へ嵌入させる作業が困難な上に、外部からの衝撃によって、当該スプリングＰが溝部４４から抜出してしまうという問題があった。そのため、後記する特許文献１には次のようなシート止用条材が開示されている。
【０００６】
図６は、従来の他のシート止用条材を示す斜視図であり、多重張りに適用し得るようにしてある。即ち、シート止用条材５１は、図５に示した底壁部４２と同じ寸法の底壁部５２の両側縁に、図５に示した側壁部４３，４３の長さ寸法より長い長さ寸法の側壁部５３，５３がそれぞれ設けてある。これら側壁部５３，５３の底壁部５２側である基部６１，６１は、図５に示したシート止用条材４１の対応する部分と同様、基部６１，６１と底壁部５２とがなす角の角度がそれぞれ４５°程度にしてあり、両基部６１，６１の底壁部５２に連接する角部はそれぞれ円弧状に成形してある。
【０００７】
これら基部６１，６１から両側壁部５３，５３の先端側へ、中間部６２，６２がそれぞれ延設してあり、両中間部６２，６２は前記底壁部５２に対して鉛直にしてある。そして、両側壁部５３，５３の先端部は、対応する中間部６２，６２に対してそれぞれ内側へ略直角に屈曲させて、両側壁部５３，５３の間の開口５５に臨むフランジ状の縁部６３，６３にしてあり、両縁部６３，６３の先端は、更に内側へ１８０°屈曲させて２つ折にしてある。これによって、開口５５の寸法を、図５に示したシート止用条材４１の開口４５の寸法と同じにしてある。
【０００８】
このようにシート止用条材５１には、両側壁部５３，５３に、相互間の距離が深さ方向で略等しい中間部６２，６２が設けてあるため、この中間部６２，６２の間にも他のスプリングを比較的容易に嵌入させることができる一方、外部からの衝撃によっても当該他のスプリングが、底壁部５２と略平行な両縁部６３，６３に当接して溝部５４から抜出することが防止される。これによって、底壁部５２及び両側壁部５３，５３で囲まれる溝部５４内に複数のスプリングを深さ方向へ重積させて、多重張りを実施することができる。
【先行技術文献】
【特許文献】
【０００９】
【特許文献１】特開２００４−１６１５４号公報
【発明の概要】
【発明が解決しようとする課題】
【００１０】
しかしながら、図６に示した従来の後者のシート止用条材５１にあっては、多重張りにおける最下層のシートを係止させる場合、又は溝部５４に１枚のシートを係止させる場合、図７に示した如く、スプリングＰを溝部５４内の底部へ前記底壁部５２と平行に嵌入させて、スプリングＰの両側を溝部５４の前記両角部に嵌合させるようにするが、この場合、溝部５４内にスプリングＰを、その一側が一方の側壁部５３の角部に当接し、その他側が対応する縁部６３を越えて他方の側壁部５３の中間部６２に当接するように嵌入させた後、スプリングＰの他側を他方の側壁部５３の角部へ、他方の側壁部５３の中間部６２及び基部６１の内面を摺動させつつ降下させなければならい。そのため、溝部５４へのスプリングＰの嵌入作業が煩雑であるのに加え、前述したスプリングＰの他側の降下作業中、スプリングＰに大きな押圧を加えなければならず、スプリングＰの他側によってシートに疵が生じるという問題があった。なお、図７中、図６に示した部分に対応する部分には同じ番号を付してあり、また、シートは省略してある。
【００１１】
ところで、ビニルハウスでは、前述した農業用塩化ビニル系のシートに代えて、農業用ポリオレフィン系のシートが用いられる場合がある。これは、前者のシートに比べて後者のシートの方が、透明度が高い上に寿命が長く、更に、後者のシートは、燃焼させても有害なガスを発生しないため焼却処理を行なうことができるからである。
【００１２】
ところが、農業用ポリオレフィン系のシートを用いた場合、当該シートの伸性が小さいため、図５に示した従来の前者のシート止用条材４１では、相隣るシート止用条材間に展張されるシートの引っ張り力によって、当該シート止用条材４１の溝部４４内にスプリングＰをその底壁部４２まで嵌入させることが困難であり、かかるシートＳを係止させることができなかった。
【００１３】
一方、図６に示した従来の後者のシート止用条材５１では、農業用ポリオレフィン系のシートを用いた場合であっても、両縁部６３，６３内にスプリングを嵌入させることによって、当該シートを溝部５４内に係止させることができるものの、前述した如く、農業用塩化ビニル系のシートを係止する場合に問題があった。
【００１４】
本発明は、斯かる事情に鑑みてなされたものであって、伸性の如何に拘らず疵を生じさせることなくシートを係止することができると共に、伸性の大きいシートでは所謂多重張りを実施することができるシート止用条材を提供する。
【課題を解決するための手段】
【００１５】
請求項１記載の本発明は、帯状の底壁部の両側にそれぞれ側壁部を立設してなる溝部を備え、両側壁部はそれぞれ、前記底壁部に連接し、溝部の外側へ凸状に曲成した角部を設けてなる基部と、前記溝部の開口に臨ませた縁部と、この縁部と基部との間に当該基部より立ち上げた姿勢で設けた中間部とを具備し、前記開口から溝部内にシートの一部を挿入させて当該シートを止めるシート止用条材において、前記中間部は、当該中間部と基部との境界と、当該中間部に対向する基部の角部とを結ぶ線分に直交する姿勢より溝部の内側へ傾斜させた姿勢にしてあることを特徴とする。
【００１６】
請求項２記載の本発明は、前記中間部と底壁部とのなす角は略６５°以上７４°以下の適宜角度にしてあることを特徴とする。
【００１７】
請求項３記載の本発明は、前記縁部は、溝部の内側へ傾斜した姿勢であって、前記底壁部と平行をなす姿勢より立ち上げた姿勢にしてあることを特徴とする。
【００１８】
請求項４記載の本発明は、前記縁部と底壁部とのなす角は略１０°以上３０°以下の適宜角度にしてあることを特徴とする。
【発明の効果】
【００１９】
請求項１記載の本発明では、帯状の底壁部の両側にそれぞれ側壁部を立設してなる溝部を備え、両側壁部はそれぞれ、前記底壁部に連接し、溝部の外側へ凸状に曲成した角部を設けてなる基部と、前記溝部の開口に臨ませた縁部と、この縁部と基部との間に当該基部より立ち上げた姿勢で設けた中間部とを具備し、前記開口から溝部内にシートの一部を挿入させて当該シートを止めるシート止用条材において、前記中間部は、当該中間部と基部との境界と、当該中間部に対向する基部の角部とを結ぶ線分に直交する姿勢より溝部の内側へ傾斜させた姿勢にしてある。これによって、溝部に挿入したシートを固定するスプリングを両基部の間に嵌入させることができると共に、両基部より立ち上げた姿勢で設けた両中間部の間にもスプリングを嵌入させることができる一方、両中間部の間の寸法は溝部の開口に向かうに従って狭くなっており、両中間部の間に嵌入させたスプリングが溝部から抜出することが防止されるため、伸性が大きいシートを用いて所謂多重張りを実施することができる。
【００２０】
一方、多重張りにおける最下層のシートを溝部に係止させる場合、又は溝部に伸性が大きい１枚のシートを係止させる場合、スプリングを両基部の角部間に嵌入させるが、後述する図２に示したように中間部３２は、当該中間部３２と基部３１との境界と、当該中間部３２に対向する基部３１の角部とを結ぶ線分Ｌ１に直交する姿勢より溝部４の内側へ傾斜させた姿勢にしてあるため、中間部３２の深さ方向の何れの位置にあっても、当該位置及び前記角部を結ぶ線分Ｌ１と当該中間部３２とがなす底壁部２側の角Ｂの角度は、その補角である角Ａの角度より大きい。従って、前記角部に一側を嵌入させ、他側を中間部３２に当接させるように溝部４内に挿入させたスプリングの他側は、比較的小さな押力によって降下し、これによって、シートを疵付けることなく、スプリングの他側を基部３１の角部へ嵌入させることができる。
【００２１】
ところで、伸性が小さいシートを係止させる場合、両中間部の間にスプリングを嵌入させて当該シートを止めることができる。このとき、前述したように両中間部の間の寸法は溝部の開口に向かうに従って狭くなっているため、両中間部の間に嵌入させたスプリングが溝部から抜出することが防止される。
【００２２】
請求項２記載の本発明では、前記中間部と底壁部とのなす角は略６５°以上７４°以下の適宜角度にしてあるため、開口を所要の寸法に保ちつつ、前述した効果を奏することができる。
【００２３】
請求項３記載の本発明では、前記縁部は、溝部の内側へ傾斜した姿勢であって、前記底壁部と平行をなす姿勢より立ち上げた姿勢にしてあるため、両縁部は開口から外側へ逃げる姿勢となり、両縁部の間から溝部内へスプリングを挿入させる作業において両縁部が障害にならず、当該作業を円滑に行なうことができる。一方、両縁部は、溝部の内側へ傾斜しているため、溝部内に嵌入させたスプリングが両縁部に当接して、スプリングが溝部から抜出することが防止される。
【００２４】
請求項４記載の本発明では、前記縁部と底壁部とのなす角は略１０°以上３０°以下の適宜角度にしてあるため、スプリングが溝部から抜出することを防止する効果と、溝部内へのスプリングの挿入作業の円滑化の効果とをバランスよく奏することができる。
【図面の簡単な説明】
【００２５】
【図１】本発明に係るシート止用条材を示す斜視図である。
【図２】図１に示した側壁部を構成する中間部を詳細に説明する説明図である。
【図３】図１に示したシート止用条材に伸性が小さいシートを係止させた状態を示す正面図である。
【図４】図１に示したシート止用条材に伸性が大きいシートを係止させた状態を示す正面図である。
【図５】従来のシート止用条材にシートを係止した状態を示す斜視図である。
【図６】従来の他のシート止用条材を示す斜視図である。
【図７】従来の他のシート止用条材にスプリングを嵌入させている状態を示す正面図である。
【発明を実施するための形態】
【００２６】
本実施の形態に係るシート止用条材は、帯状の底壁部の両側にそれぞれ側壁部を立設してなる溝部を備え、両側壁部はそれぞれ、前記底壁部に連接し、溝部の外側へ凸状に曲成した角部を設けてなる基部と、前記溝部の開口に臨ませた縁部と、この縁部と基部との間に当該基部より立ち上げた姿勢で設けた中間部とを具備し、前記中間部は、当該中間部と基部との境界と、当該中間部に対向する基部の角部とを結ぶ線分に直交する姿勢より溝部の内側へ傾斜させた姿勢にしてある。
【００２７】
この中間部と底壁部とのなす角は略６５°以上略７４°以下の適宜角度にしてあり、更に好ましくは略７０°にしてある。
【００２８】
また、縁部は、溝部の内側へ傾斜した姿勢であって、底壁部と平行をなす姿勢より立ち上げた姿勢にしてある。
【００２９】
好ましくは、縁部と底壁部とのなす角は略１０°以上略３０°以下の適宜角度にしてあり、更に好ましくは略２５°にしてある。
【００３０】
以下、本発明の実施例を図面に基づいて詳述する。
【００３１】
図１は、本発明に係るシート止用条材を示す斜視図である。図１に示した如く、シート止用条材は、金属製の平帯状板材の両側縁部をそれぞれ内側へ立ち上がるように屈曲させることによって、略平坦な底壁部２の両側に軸対象の側壁部３，３を設けて構成してあり、底壁部２及び両側壁部３，３で囲まれる溝部４内にシート（図示せず）の一部を挿入した後、当該シートの上から後述する如く、面内交互台形波形状のスプリングを嵌入させて、当該シートを係止するようにしてある。
【００３２】
この底壁部２の幅方向の略中央軸上には一条の凹部２１が設けてあり、底壁部２を貫通させる固定用螺子の底壁部２の幅方向の位置を決めるべく、当該固定用螺子の先端を前記凹部２１内に嵌入させるようにしてある。
【００３３】
また、前述した両側壁部３，３は、底壁部２側の基部３１，３１と、前記溝部４の開口５に臨む縁部３３，３３と、該縁部３３，３３と前記基部３１，３１との間を結ぶ中間部３２，３２とで構成してある。この基部３１，３１と底壁部２とがなす角の角度はそれぞれ、４５°程度にしてあり、両基部３１，３１の角部はそれぞれ、円弧状に成形してある。
【００３４】
この基部３１，３１から延設した中間部３２，３２は、前記底壁部２に対する鉛直軸より所要角度だけ少し内側へ傾斜した姿勢にしてある。
【００３５】
図２は、図１に示したシート止用条材の正面図であり、この図２を用いて中間部３２の傾斜姿勢の決定方法を説明する。なお、図中、図１に示した部分に対応する部分には同じ番号を付してある。
【００３６】
すなわち、シート止用条材の正面と平行をなす面内で、一方の側壁部３と底壁部２との角部の中央Ｔ１と、他方の側壁部３の基部３１と中間部３２との境界Ｔ２とを通る第１線分Ｌ１を定め、この第１線分Ｌ１上の前記境界Ｔ２の位置で第１線分Ｌ１と直交する第２線分Ｌ２を定める。そして、他方の側壁部３の中間部３２は、前記第２線分Ｌ２より溝部４の内側へ傾斜させてある。
【００３７】
これによって、当該中間部３２の深さ方向の何れの位置にあっても、当該位置及び前記角部の中央Ｔ１を結ぶ線分と当該中間部３２とがなす底壁部２側の角Ｂの角度は、その補角である角Ａの角度より大きい。
【００３８】
なお、一方の側壁部３の中間部３２の傾斜姿勢も前同様に定めてある。
【００３９】
このようなシート止用条材にあっては、後述するように溝部４に挿入したシートを固定するスプリングを両基部３１，３１の間に嵌入させることができると共に、両基部３１，３１より立ち上げた姿勢で設けた両中間部３２，３２の間にも他のスプリングを嵌入させることができる一方、両中間部３２，３２の間の寸法は開口５に向かうに従って狭くなっており、両中間部３２，３２の間に嵌入させたスプリングが溝部から抜出することが防止される。従って、伸性が大きいシートを用いて所謂多重張りを実施することができる。
【００４０】
一方、多重張りにおける最下層のシートを溝部４に係止させる場合、又は溝部４に伸性が大きい１枚のシートを係止させる場合、スプリングを両基部３１，３１の角部の間に嵌入させるが、前述した如く中間部３２は、角Ｂの角度が角Ａの角度より大きいため、角部に一側を嵌入させ、他側を中間部３２に当接させるように溝部４内に挿入させたスプリングの他側は、比較的小さな押力によって降下し、これによって、シートを疵付けることなく、スプリングの他側を基部３１の角部へ嵌入させることができる。
【００４１】
ところで、後述するように伸性が小さいシートを係止させる場合、両中間部３２，３２の間にスプリングを嵌入させて当該シートを止めることができる。このとき、前述したように両中間部３２，３２の間の寸法は開口５に向かうに従って狭くなっているため、両中間部３２，３２の間に嵌入させたスプリングが溝部４から抜出することが防止される。
【００４２】
この中間部３２，３２と底壁部２とがなす角は、好ましくは略６５°以上略７４°以下にしてあり、更に好ましくは略７０°にしてある。略６５°未満にした場合は、多重張りを実施する場合、中間部３２，３２が傾倒した姿勢になるため両中間部３２，３２間にスプリングを嵌入させる作業が困難であり、略７４°を超えるようにした場合は、両中間部３２，３２によって所要のスプリング抜出防止効果を得ることができない。一方、中間部３２，３２と底壁部２とがなす角を略７０°にした場合、所要のスプリング抜出防止効果を得つつ、多重張りの際、中間部３２，３２間にスプリングを嵌入させる作業を容易に行なうことができる。また、開口５の寸法を従来のシート止用条材の開口の寸法と同じにすることができ、スプリング等のシート止用条材に適用させる従来の部品をそのまま適用させることができる。
【００４３】
一方、図１に示した如く、両側壁部３，３の縁部３３，３３は、底壁部２の鉛直軸より溝部４の内側へ傾斜させた姿勢であって、前記鉛直軸と直交する軸より立ち上げた姿勢にしてある。すなわち、両縁部３３，３３と底壁部２とがなす角の角度が、好ましくは略１０°以上略３０°以下にしてあり、更に好ましくは、略２５°にしてある。
【００４４】
これによって、後述する如く溝部４の縁にスプリングを嵌入させた場合であっても、当該スプリングが縁部３３，３３に当接して、当該スプリングが溝部４から抜出することが防止される。一方、溝部４内へスプリングを嵌入させる場合、両縁部３３，３３が障害にならず、当該嵌入作業を円滑に実施することができる。
【００４５】
縁部３３，３３と底壁部２とがなす角の角度が略１０°未満の場合、溝部４からのスプリング抜出防止効果が低下し、縁部３３，３３と底壁部２とがなす角の角度が略３０°を越える場合、溝部４へスプリングを嵌入させる作業において、両縁部３３，３３が障害になり易い。一方、縁部３３，３３と底壁部２とがなす角の角度が略２５°の場合、かかる両効果がバランス良く奏される。
【００４６】
なお、図１に示したシート止用条材は圧延成形によって形成してあるが、本発明はこれに限らず、押出し成形によって形成してもよいことはいうまでもない。
【００４７】
図３は、図１に示したシート止用条材に伸性が小さいシートを係止させた状態を示す正面図であり、図中、１はシート止用条材、Ｓ１は伸性が小さいシート、Ｐはスプリングである。なお、図中、図１に示した部分に対応する部分には同じ番号を付してその説明を省略する。
【００４８】
図３に示した如く、シート止用条材１の開口５を覆ったシートＳ１の上方から面内交互台形波形状のスプリングＰを当該シートＳ１の一部と共に溝部４内に、スプリングＰの両側縁がシート止用条材１の両側壁部３，３に設けた縁部３３，３３の内面に当接するように嵌入させて、シートＳ１の一部がシート止用条材１の溝部４に係止してある。このように伸性が小さいシートＳ１であっても、溝部４の縁にスプリングＰを嵌入することによって、当該シートＳ１をシート止用条材１に係止させることができる。
【００４９】
このとき、両縁部３３，３３は、前述したように、両縁部３３，３３と底壁部２とがなす角の角度が、好ましくは略２１°以上略２９°以下にしてあり、更に好ましくは、略２５°にしてあるため、溝部４へスプリングを嵌入させる作業中、両縁部３３，３３が障害になり難い一方、溝部４の縁にスプリングＰを嵌入させた場合であっても、当該スプリングＰが縁部３３，３３に当接して、当該スプリングＰが溝部４から抜出することが防止される。
【００５０】
図４は、図１に示したシート止用条材に伸性が大きいシートを係止させた状態を示す正面図であり、図中、１はシート止用条材、Ｓ２は伸性が大きいシート、Ｐはスプリングである。なお、図中、図１に示した部分に対応する部分には同じ番号を付してその説明を省略する。
【００５１】
図４に示した如く、シート止用条材１の溝部４に伸性が大きいシートＳ２を係止させる場合、溝部４の底部までスプリングＰを嵌入させる。この場合、スプリングＰを溝部４内に、当該スプリングＰの一側を溝部４の一方の角部に嵌入させ、スプリングＰの他側を溝部４の他方の側壁部３の中間部３２に当接させるように挿入させた後、このスプリングＰの他側を溝部４の他方の角部に嵌入させる。このとき、図２に示した如く側壁部３の中間部３２は、角Ｂの角度が角Ａの角度より大きいため、スプリングＰの他側は、比較的小さな押力によって降下し、これによって、シートＳ２を疵付けることなく、スプリングＰの他側を他方の角部へ嵌入させることができる。
【００５２】
一方、このスプリングＰに加えて、両側壁部３，３の中間部３２，３２の間にも他のスプリングを嵌入させることができる。このとき、両中間部３２，３２の間の寸法は開口５に向かうに従って狭くなっており、両中間部３２，３２の間に嵌入させた他のスプリングが溝部４から抜出することが防止される。従って、所謂多重張りを実施することができる。
【符号の説明】
【００５３】
１    シート止用条材
２    底壁部
３    側壁部
３１  基部
３２  中間部
３３  縁部
４    溝部
５    開口
Ｌ１    線分
Ｌ２    線分
Ａ    角
Ｂ    角
Ｔ１    中央
Ｔ２    境界
Ｓ    シート
Ｐ    スプリング
【図１】
2010131032.tif 000003
【図２】
2010131032.tif 000004
【図３】
2010131032.tif 000005
【図４】
2010131032.tif 000006
【図５】
2010131032.tif 000007
【図６】
2010131032.tif 000008
【図７】
2010131032.tif 000009
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
帯状の底壁部の両側にそれぞれ側壁部を立設してなる溝部を備え、両側壁部はそれぞれ、前記底壁部に連接し、溝部の外側へ凸状に曲成した角部を設けてなる基部と、前記溝部の開口に臨ませた縁部と、この縁部と基部との間に設けた中間部とを具備し、前記開口から溝部内にシートの一部を挿入させて当該シートを止めるシート止用条材において、
前記中間部は、前記基部より立ち上げた姿勢で延設されており、前記底壁部に対する鉛直軸より所要角度だけ溝部の内側へ傾斜させた姿勢にしてあることを特徴とするシート止用条材。
【請求項２】
前記縁部は、溝部の内側へ傾斜した姿勢であって、前記底壁部と平行をなす姿勢より立ち上げた姿勢にしてある請求項１記載のシート止用条材。
【請求項３】
前記基部と前記底壁部とがなす角は４５°にしてあり、前記中間部と底壁部とのなす角は略６５°以上７４°以下の適宜角度にしてあり、前記縁部と底壁部とのなす角は略１０°以上３０°以下の適宜角度にしてある請求項１又は２に記載のシート止用条材。
【手続補正２】
【補正対象書類名】明細書
【補正対象項目名】００１５
【補正方法】変更
【補正の内容】
【００１５】
請求項１記載の本発明は、帯状の底壁部の両側にそれぞれ側壁部を立設してなる溝部を備え、両側壁部はそれぞれ、前記底壁部に連接し、溝部の外側へ凸状に曲成した角部を設けてなる基部と、前記溝部の開口に臨ませた縁部と、この縁部と基部との間に設けた中間部とを具備し、前記開口から溝部内にシートの一部を挿入させて当該シートを止めるシート止用条材において、前記中間部は、前記基部より立ち上げた姿勢で延設されており、前記底壁部に対する鉛直軸より所要角度だけ溝部の内側へ傾斜させた姿勢にしてあることを特徴とする。
【手続補正３】
【補正対象書類名】明細書
【補正対象項目名】００１６
【補正方法】変更
【補正の内容】
【００１６】
請求項２記載の本発明は、前記縁部は、溝部の内側へ傾斜した姿勢であって、前記底壁部と平行をなす姿勢より立ち上げた姿勢にしてあることを特徴とする。
【手続補正４】
【補正対象書類名】明細書
【補正対象項目名】００１７
【補正方法】変更
【補正の内容】
【００１７】
請求項３記載の本発明は、前記基部と前記底壁部とがなす角は４５°にしてあり、前記中間部と底壁部とのなす角は略６５°以上７４°以下の適宜角度にしてあり、前記縁部と底壁部とのなす角は略１０°以上３０°以下の適宜角度にしてあることを特徴とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
請求項１記載の本発明では、溝部に挿入したシートを固定するスプリングを両基部の間に嵌入させることができると共に、両基部より立ち上げた姿勢で設けた両中間部の間にもスプリングを嵌入させることができる一方、両中間部の間の寸法は溝部の開口に向かうに従って狭くなっており、両中間部の間に嵌入させたスプリングが溝部から抜出することが防止されるため、伸性が大きいシートを用いて所謂多重張りを実施することができる。
【手続補正７】
【補正対象書類名】明細書
【補正対象項目名】００２２
【補正方法】変更
【補正の内容】
【００２２】
請求項２記載の本発明では、前記縁部は、溝部の内側へ傾斜した姿勢であって、前記底壁部と平行をなす姿勢より立ち上げた姿勢にしてあるため、両縁部は開口から外側へ逃げる姿勢となり、両縁部の間から溝部内へスプリングを挿入させる作業において両縁部が障害にならず、当該作業を円滑に行なうことができる。一方、両縁部は、溝部の内側へ傾斜しているため、溝部内に嵌入させたスプリングが両縁部に当接して、スプリングが溝部から抜出することが防止される。
【手続補正８】
【補正対象書類名】明細書
【補正対象項目名】００２３
【補正方法】変更
【補正の内容】
【００２３】
請求項３記載の本発明では、開口を所要の寸法に保ちつつ、前述した効果を奏することができるとともに、スプリングが溝部から抜出することを防止する効果と、溝部内へのスプリングの挿入作業の円滑化の効果とをバランスよく奏することができる。
【手続補正９】
【補正対象書類名】明細書
【補正対象項目名】００２４
【補正方法】削除
【補正の内容】
【手続補正１０】
【補正対象書類名】明細書
【補正対象項目名】００４５
【補正方法】変更
【補正の内容】
【００４５】
縁部３３，３３と底壁部２とがなす角の角度が略３０°を越える場合、溝部４からのスプリング抜出防止効果が低下し、縁部３３，３３と底壁部２とがなす角の角度が略１０°未満の場合、溝部４へスプリングを嵌入させる作業において、両縁部３３，３３が障害になり易い。一方、縁部３３，３３と底壁部２とがなす角の角度が略２５°の場合、かかる両効果がバランス良く奏される。